(57)【要約】【課題】本発明は、中綴じを行わずに分割あるいは分冊処理の方法によって、シート束に対するページごとの画像ずれを抑止することができる印刷システムを提供する。【解決手段】印刷システムであって、画像形成装置は、入力されたジョブに綴じ指定がなく且つ断裁処理の指定があると判定された場合、分割製本か否かを判定する。分割製本と判定された場合は、画像の印刷位置を調整するための画像位置補正の指定に応じて断裁量調整量を算出し、オペレータ指定の断裁量から断裁量調整量を減算して、後処理装置が実行する断裁処理の断裁量を算出する。後処理装置は、算出された断裁量に従って断裁処理を実行する。【選択図】図１３Ａ
2014108605.tif 000002
【特許請求の範囲】
【請求項１】
画像形成装置と、製本処理機能を有する後処理装置とを備える印刷システムであって、
前記画像形成装置は、
入力されたジョブに対する製本指定を判定する製本指定判定手段と、
前記製本指定判定手段により前記ジョブに綴じ指定がなく且つ断裁処理の指定があると判定された場合、分割製本か否かを判定する分割製本判定手段と、
前記分割製本判定手段により分割製本と判定された場合は、画像の印刷位置を調整するための画像位置補正の指定に応じて断裁量調整量を算出する断裁量調整量算出手段と、
オペレータ指定の断裁量から前記断裁量調整量算出手段により算出された断裁量調整量を減算して、前記後処理装置が実行する断裁処理の断裁量を算出する断裁量算出手段とを備え、
前記後処理装置は、
前記断裁量算出手段により算出された断裁量に従って断裁処理を実行する断裁手段を有することを特徴とする印刷システム。
【請求項２】
前記画像形成装置は、
前記画像位置補正の指定がされていない場合に、印刷処理に用いられるシートの種類を判定するシート種類判定手段と、
前記シート種類判定手段によって判定されたシートの種類に対応するシートずれ補正値を読み出すシートずれ補正値読出手段とをさらに備え、
前記算出手段は、前記読み出されたシートずれ補正値に基づいて前記断裁量調整量を算出することを特徴とする請求項１に記載の印刷システム。
【請求項３】
前記画像形成装置は、
前記ジョブに含まれるページ数、片面／両面印刷指定の有無、及び折り指定枚数からシート束数を算出するシート束数算出手段と、
前記ジョブに含まれるページ数、前記算出されたシート束数、及び設定された分冊方法に基づいてページレイアウトを決定するページレイアウト決定手段とをさらに備えることを特徴とすることを特徴とする請求項１または２に記載の印刷システム。
【請求項４】
前記画像形成装置は、
前記断裁量算出手段により算出された断裁量が前記後処理装置の断裁能力の上限値を超えるか否かを判定する断裁上限判定手段と、
前記断裁上限判定手段により上限値を超えると判定された場合に警告画面を表示する警告表示手段と、
前記表示された警告に応じてオペレータに処理を継続するか否かを選択させる選択手段と、
前記選択手段によりオペレータがキャンセルを選択した場合には、処理中のジョブをキャンセルするキャンセル手段とをさらに備え、
前記断裁量算出手段は、前記選択手段によりオペレータが前記警告を無視して処理の継続を選択した場合には、すべてのシート束に対する断裁量を０とすることを特徴とする請求項１乃至３のいずれか１項に記載の印刷システム。
【請求項５】
前記画像形成装置は、
前記断裁量算出手段により算出された断裁量が、印刷処理後の画像の余白値を超えるか否かを判定する余白判定手段と、
前記余白判定手段により前記余白値を超えると判定された場合に警告画面を表示する警告表示手段と、
前記表示された警告に応じてオペレータに処理を継続するか否かを選択させる選択手段と、
前記選択手段によりオペレータがキャンセルを選択した場合には、処理中のジョブをキャンセルするキャンセル手段と、
前記選択手段によりオペレータが前記余白値を超えて画像領域を断裁しないように再調整する処理を選択した場合には、前記断裁量が前記余白値を超えないように前記断裁量調整量を再調整する再調整手段とをさらに有し、
前記断裁量算出手段は、前記選択手段によりオペレータが前記警告を無視して処理の継続を選択した場合には、すべてのシート束に対する断裁量を０とすることを特徴とする請求項１乃至３のいずれか１項に記載の印刷システム。
【請求項６】
前記画像形成装置は、
前記印刷システムに対する作業指示書のフォーマットの選択を受け付ける操作手段と、
分割製本が指定された場合にシート束ごとにバインダ番号を付与するバインダ番号付与手段と、
前記受け付けた作業指示書でプリントが指定されていた場合、前記シート束ごとの断裁量を含む情報を記載した一覧を作成した後に印刷処理を行う印刷手段と、
前記受け付けた作業指示書でプリントが指定されていなかった場合、当該作業指示書のフォーマットに従い、前記シート束ごとの断裁量を含む情報をファイル化するファイル化手段と、
前記作成された電子ファイルをネットワークを介して接続された後処理装置に送信する送信手段とを備え、
前記後処理装置は、
前記画像形成装置から受信した電子ファイルに記載されている断裁量に基づき、前記断裁手段が前記シート束を断裁処理することを特徴とする請求項１乃至５のいずれか１項に記載の印刷システム。
【請求項７】
前記入力されたジョブには、
前記画像形成装置が有する操作手段を介して入力されたジョブ、
前記画像形成装置にネットワークを介して接続されたホストコンピュータ上で作成されたジョブ、
前記画像形成装置にネットワークを介して接続され、前記画像形成装置に投入されるジョブを作成するプリントサーバ上で作成されたジョブが含まれることを特徴とする請求項１乃至６のいずれか１項に記載の印刷システム。
【請求項８】
画像形成装置と、製本処理機能を有する後処理装置とを備える印刷システムの制御方法であって、
前記画像形成装置に入力されたジョブに対する製本指定を判定する製本指定判定工程と、
前記製本指定判定工程にて前記ジョブに綴じ指定がなく且つ断裁処理の指定があると判定された場合、分割製本か否かを判定する分割製本判定工程と、
前記分割製本判定工程にて分割製本と判定された場合は、画像の印刷位置を調整するための画像位置補正の指定に応じて断裁量調整量を算出する断裁量調整量算出工程と、
オペレータ指定の断裁量から前記断裁量調整量算出工程にて算出された断裁量調整量を減算して、前記後処理装置が実行する断裁処理の断裁量を算出する断裁量算出工程と、
前記断裁量算出工程にて算出された断裁量に従って前記後処理装置により断裁処理を実行する断裁工程とを有することを特徴とする制御方法。
【請求項９】
請求項８に記載の制御方法を画像形成装置または後処理装置に実行させるためのコンピュータに読み取り可能なプログラム。
【発明の詳細な説明】
【技術分野】
【０００１】
本発明は、印刷システムおよびその制御方法、並びにプログラムに関し、特に、製本処理であって、分冊や中綴じ、断裁処理などの詳細設定が可能な印刷システムおよびその制御方法、並びにプログラムに関する。
【背景技術】
【０００２】
簡易製本処理では、シート束の中央をステイプルし、二つ折りにすることにより製本を行う中綴じ製本が一般的である。この方法は雑誌などの製本に用いられる。中綴じ製本可能な枚数は後処理装置の能力により上限がある。後処理装置の能力を超える枚数の製本を行う場合には、後処理装置の許容枚数以内に分冊して製本し、それらをさらにまとめる必要がある。これは分冊製本と呼ばれる。
【０００３】
また、製本処理では、製本処理後にシートの厚みによって生じるページごとの画像ずれを抑止するための画像形成位置調整や、製本処理後の印刷物を断裁する方法が存在する（例えば、特許文献１）。
【０００４】
一方、複数枚のシートを二つ折りしてチラシとして配布される印刷物も多く存在する。中綴じを行わずに複数枚のシートをまとめて折る場合、一度に折れるシート枚数の上限は後処理装置の能力により決まる。そのため、オペレータ指定あるいは後処理装置の折り曲げ可能上限枚数によって自動的に分割処理する方法が知られている（例えば、特許文献２）。また、中綴じせずに製本処理された印刷物を断裁処理する場合、シート束がばらばらになってしまい、断裁処理を精度良く制御することが困難になる。そこで、近年は、後処理装置の性能向上により未綴じの状態でも複数枚のシートをまとめて断裁処理することが可能な後処理装置が登場してきている。
【先行技術文献】
【特許文献】
【０００５】
【特許文献１】特開２００７−１１１９号公報
【特許文献２】特開２０１０−１６８１３４号公報
【発明の概要】
【発明が解決しようとする課題】
【０００６】
しかしながら、中綴じを行わずに分割あるいは分冊処理されたシート束に対して、分冊の方法によってページごとの画像ずれを抑止するための画像形成位置調整や製本処理後の印刷物を断裁して印刷物を形成することはできない。すなわち、束ごとに同じ断裁幅でトリミングが行われるため、断裁処理後のシート束をオペレータがはめ込み処理をする分割製本の場合は束ごとの断裁位置がずれてしまうという問題がある。
【０００７】
本発明は、上記問題に鑑みて成されたものであり、中綴じを行わずに分割あるいは分冊処理の方法によって、シート束に対するページごとの画像ずれを抑止することができる印刷システムおよびその制御方法、並びにプログラムを提供することを目的とする。
【課題を解決するための手段】
【０００８】
上記目的を達成するために、本発明の印刷システムは、画像形成装置と、製本処理機能を有する後処理装置とを備える印刷システムであって、前記画像形成装置は、入力されたジョブに対する製本指定を判定する製本指定判定手段と、前記製本指定判定手段により前記ジョブに綴じ指定がなく且つ断裁処理の指定があると判定された場合、分割製本か否かを判定する分割製本判定手段と、前記分割製本判定手段により分割製本と判定された場合は、画像の印刷位置を調整するための画像位置補正の指定に応じて断裁量調整量を算出する断裁量調整量算出手段と、オペレータ指定の断裁量から前記断裁量調整量算出手段により算出された断裁量調整量を減算して、前記後処理装置が実行する断裁処理の断裁量を算出する断裁量算出手段とを備え、前記後処理装置は、前記断裁量算出手段により算出された断裁量に従って断裁処理を実行する断裁手段を有することを特徴とする。
【発明の効果】
【０００９】
本発明によれば、中綴じを行わずに分割あるいは分冊処理されたシート束に対して、分冊の方法によってページごとの画像ずれを抑止するための画像形成位置調整および製本処理後の印刷物の断裁位置調整が可能となる。これにより、断裁処理後の複数のシート束をオペレータがはめ込み処理して製本した場合であっても、ページ上の画像位置と各シート束の断裁位置のずれを抑止し、端部のそろった印刷物を得ることができる。
【図面の簡単な説明】
【００１０】
【図１】本発明の第１の実施形態に係る印刷システムを含むネットワーク環境の一例を示す図である。
【図２】図１の印刷システムを構成する画像形成装置の内部構成を説明するための概略断面図である。
【図３】図１の印刷システムを構成する後処理装置の内部構成を説明するための概略断面図である。
【図４】画像形成装置におけるコントロールユニットのハードウェア構成例を示すブロック図である。
【図５】図４のコントロールユニットにおける機能構成の一例を示すブロック図である。
【図６】画像形成装置における出力ジョブ管理部の構成例を示すブロック図である。
【図７】画像形成装置における描画処理部の構成例を示すブロック図である。
【図８】（ａ）画像形成装置における操作部の外観構成の一例を示す図、（ｂ）キー入力部の外観構成の一例を示す図である。
【図９】（ａ）分割製本かつ断裁処理実施時の成果物の一例を示す図、（ｂ）分冊製本かつ断裁処理実施時の印刷物の一例を示す図である。
【図１０】印刷システムにて実行される印刷及び製本処理の基本的な流れを示すフローチャートである。
【図１１】図１０のステップＳ１２０７における画像レイアウト処理の詳細を示すフローチャートである。
【図１２】図１０のステップＳ１２１０におけるフィニッシング処理の詳細を示すフローチャートである。
【図１３Ａ】図１２のステップＳ１４０８における断裁量調整処理の詳細を示すフローチャートである。
【図１３Ｂ】本発明の第２の実施形態における断裁量調整処理の流れを示すフローチャートである。
【図１４】本発明の第３の実施形態における、後処理装置の能力を超える断裁量が指定された場合の処理の流れを示すフローチャートである。
【図１５】本発明の第３の実施形態における、算出された断裁量が画像を印刷しない領域である余白値を超えた場合の処理の流れを示すフローチャートである。
【図１６】本発明の第４の実施形態におけるニアラインフィニッシャを操作する作業指示書の作成処理を示すフローチャートである。
【図１７】（ａ）〜（ｆ）第１の実施形態における製本印刷処理を設定するための操作画面の一例を示す図である。
【図１８】第１の実施形態における分割製本かつ断裁処理実施時の成果物の一例を示す図である。
【図１９】（ａ）〜（ｃ）第１の実施形態における製本印刷処理を設定するためのプリンタドライバによる入力画面の一例を示す図である。
【発明を実施するための形態】
【００１１】
以下、本発明の実施の形態を図面を参照して詳細に説明する。
【００１２】
［第１の実施形態］
図１は、本発明の第１の実施形態に係る印刷システムを含むネットワーク環境の一例を示す図である。
【００１３】
図１において、印刷システム７５は、ネットワーク７４を介してプリントサーバ７１、ホストコンピュータ７２，７３に接続されている。
【００１４】
プリントサーバ７１は、印刷システム７５で実行される印刷ジョブの状況を監視すると共に、実行中の印刷ジョブの一時停止や実行再開、印刷ジョブの設定変更や複製、移動、削除などの制御を行うことができる。ホストコンピュータ７２，７３は、印刷システム７５に投入される印刷ジョブを作成することができる。
【００１５】
図２は、図１の印刷システム７５を構成する画像形成装置の内部構成を説明するための概略断面図である。
【００１６】
図示の画像形成装置は、４Ｄカラー系のデジタル複合機であり、スキャナ部２０１、レーザ露光部５０１、感光ドラム５０２、作像部５０３、定着部５０４、給紙／搬送部５０５、および、これらを制御するプリンタ制御部（不図示）から構成される。
【００１７】
スキャナ部２０１では、原稿台に置かれた原稿に照明を当てて原稿画像を光学的に読み取り、読み取った原稿画像を電気信号に変換して画像データを作成する。レーザ露光部５０１では、画像データに応じて変調されたレーザ光などの光線を等角速度で回転する回転多面鏡（ポリゴンミラー）５０１ａに入射し、ポリゴンミラー５０１ａの反射光を走査光として感光ドラム５０２に照射する。
【００１８】
作像部５０３では、感光ドラム５０２を回転駆動し、帯電器によって帯電させ、レーザ露光部５０１によって感光ドラム５０２上に形成された潜像をトナーによって現像し、そのトナー像をシートに転写する。さらに、転写時に転写されずに感光ドラム５０２上に残った微小トナーを回収する。このように、作像部５０３は、電子写真プロセスを実行する４つの現像ユニット（現像ステーション）により作像を行う。シアン（Ｃ）、マゼンタ（Ｍ）、イエロー（Ｙ）、ブラック（Ｋ）の順に並んだ４つの現像ユニットは、シアンの作像開始から所定時間経過後に、マゼンタ、イエロー、ブラックの作像動作を順次実行する。このタイミング制御によって、シート上に色ずれがないフルカラートナー像が転写される。
【００１９】
定着部５０４は、ローラやベルト、ハロゲンヒータなどの熱源を備え、作像部５０３によってシート上に転写されたトナー像を熱と圧力によって溶融し、シートに定着させる。
【００２０】
給紙／搬送部５０５は、シートカセットやペーパデッキ等のシート収納庫５０５ａを一つ以上有する。そして、プリンタ制御部の指示に応じてシート収納庫５０５ａに収納された複数のシートから一枚を分離し、作像部５０３へ搬送する。搬送されるシートには、４つの現像ユニットによって各色のトナー像が転写され、最終的にフルカラートナー像がシート上に形成される。シートの両面に画像を形成する場合は、定着部５０４を通過したシートを、再度、作像部５０３へ搬送する両面搬送経路５０６に導く。
【００２１】
不図示のプリンタ制御部は、画像形成装置全体を制御する本体制御部（不図示）と通信し、その指示に応じて制御を実行する。さらに、スキャナ部２０１、レーザ露光部５０１、作像部５０３、定着部５０４、給紙／搬送部５０５の各部の状態を管理しながら、全体が調和を保って円滑に動作するよう制御を行う。
【００２２】
次に、画像形成装置の電源オフ状態から動作が開始可能な状態に至るまでの各部の動作概要を説明する。
【００２３】
画像形成装置の電源が投入されると、プリンタ制御部は、スキャナ部２０１、レーザ露光部５０１、作像部５０３、定着部５０４、給紙／搬送部５０５の各部に対して準備動作の開始を指示する。そして、画像形成装置全体を管理する本体制御部との通信が開始されるのを待つ。本体制御部との通信が確立すると、お互いの機器仕様のやり取りを行い、その後、各部の準備動作が終了し画像形成動作が可能になると、動作可能状態であることを本体制御部に通知する。
【００２４】
プリンタ制御部は、本体制御部に対して、各部の機器状態を通知する。例えば、給紙／搬送部５０５は、シート収納庫５０５ａに格納されたシートのサイズ、シートの残量（積載量）、駆動部の動作状態（動作可能か故障中か）を検知して、これらの情報を通知する。また、作像部５０３は、トナー収容器のトナー残量を通知する。
【００２５】
次に、画像形成装置が動作開始可能な状態になり、本体制御部から動作指示が通知されて、一連のプリント動作を実行し終了するまでの各部の動作概要を説明する。
【００２６】
本体制御部は、動作開始コマンドをプリンタ制御部へ通知する。動作開始コマンドを受信したプリンタ制御部は、レーザ露光部５０１、作像部５０３、給紙／搬送部５０５、定着部５０４の各部にプリント動作の開始を指示する。レーザ露光部５０１は、ポリゴンミラー５０１ａを駆動するモータの回転を開始する。そして、作像部５０３は、感光ドラム５０２を回転駆動して感光ドラム５０２を帯電する。定着部５０４は、定着ヒータをオンして、定着温度をトナーがシートに定着可能な温度に上昇させる。そして、給紙／搬送部５０５は、駆動モータを搬送可能な状態にする。
【００２７】
各部の動作準備が整うと、プリンタ制御部は、本体制御部に準備完了を通知する。準備完了通知を受信した本体制御部は、頁単位でプリント動作を指示する。本体制御部は、例えば１０頁、２０部の印刷ジョブであれば２００頁のプリント動作を指示する。プリント動作の指示を受信したプリント制御部は、給紙／搬送部５０５に給紙を指示する。
【００２８】
給紙／搬送部５０５は、シートが供給可能であれば、シートを一枚搬送して、シートが所定位置に到達するとプリント制御部にその旨を通知する。もし、シート収納庫５０５ａにシートがない場合などは、給紙不可能である旨をプリント制御部へ通知する。また、給紙／搬送部５０５は、搬送経路上のシートの重送状態を検知する重送検知センサや、シートの厚みを検知する厚さ検知センサなどを有する場合がある。これらのセンサが重送状態や異常を検知すると、給紙／搬送部５０５は、給紙動作、搬送動作を中断し、プリント制御部へ異常を通知する。異常の通知を受けたプリント制御部は、本体制御部へ動作中断の理由、装置内に残留しているシートの位置などを通知する。
【００２９】
シートが正常に搬送され、所定位置に到達した旨の通知を受けたプリント制御部は、その通知に応じて作像部５０３に作像の開始を指示する。このタイミング制御によって、シート上にトナー像が転写される。一方、定着部５０４は、定着温度を監視し、適切な温度になるよう制御するが、シートに奪われる熱量が大きいときは、定着温度が低下する。この場合、定着部５０４は、定着温度の低下をプリント制御部へ通知する。この通知を受けたプリント制御部は、シートの搬送間隔を空け、定着温度が所定の温度以下にならないように制御する。それでも定着部の温度が復帰しない場合、プリント制御部は、一旦動作を中断し、定着温度が適切な温度に復帰した後、動作を再開する。
【００３０】
プリント制御部は、すべてのシートの排出が完了すると、動作停止を各部へ指示し、各部からの動作停止通知を受け、本体制御部へ動作終了を通知する。なお、図示例には、２つのシート収納庫が記載されているが、機器構成によってはより多くのシート収納庫を接続して使用することができる。
【００３１】
図３は、図１の印刷システムを構成する後処理装置の内部構成を説明するための概略断面図である。
【００３２】
図３において、製本処理機能を有する後処理装置（インラインフィニッシャ）は、図２に示す画像形成装置の後段に接続されている。画像形成装置内の定着部５０４から排出されたシートは、後処理装置に搬送される。
【００３３】
図３において、後処理装置は、サンプルトレイ６０２とスタックトレイ６０３を有し、印刷ジョブの種類や排出されるシートの枚数に応じて、排出先のトレイを切り替える。なお、ソート方式には、シートを複数のビンに振り分けるビンソート方式と、電子ソート機能およびビン（またはトレイ）を奥手前方向にシフトする動作により、印刷ジョブごとに出力シートを振り分けるシフトソート方式である。電子ソート機能はコレートと呼ばれる。本体制御部が大容量のメモリをもつ場合、該メモリをバッファに利用して、バッファリングした頁順と排出順を変更する、所謂コレート機能を用いて電子ソート機能をサポートする。一方、グループ機能とは、ソーティングが印刷ジョブごとにシートを振り分けるのに対して、頁ごとに仕分ける機能である。
【００３４】
出力すべき印刷ジョブに対してステイプルモードが設定されている場合、シートがスタックトレイ６０３に排出されるが、シートをスタックトレイ６０３に排出する前にシートを印刷ジョブごとに処理トレイ６２１に順次蓄える。処理トレイ６２１上では、シートがステイプラ６０５によりバインドされ、その後、シートの束がスタックトレイ６０３に排出される。その他、上記２つのトレイに至るまでに、シートをＺ字状に折り畳むＺ折り機６３０、ファイル用に二（または三）穴を開けるパンチャ６１１があり、印刷ジョブの種類に応じてそれぞれの処理を行う。例えば、Ｚ折り処理が設定された印刷ジョブの場合、シートに対してＺ折り機６３０による折り畳み処理が実行される。折り畳み処理が実行されたシートは、スタックトレイ６０３やサンプルトレイ６０２などの排紙トレイに排出される。また、パンチ処理が設定された印刷ジョブの場合、シートに対してパンチャ６１１によるパンチ処理が実行された後に、排紙トレイに排出される。
【００３５】
インサータ６３１は、インサートトレイ６０９にセットされたシートを、画像形成装置を通さずに排紙トレイに送る。これにより、後処理装置に送り込まれる複数のシートの間に、インサータ６３１にセットされたシートをインサート（中差し）することができる。インサートトレイ６０９には、フェイスアップ状態でシートがセットされ、ピックアップローラにより最上部のシートから順に給送される。インサータ６３１からのシートは、そのままスタックトレイ６０３またはサンプルトレイ６０２へ搬送することによりフェイスダウン状態で排出される。また、サドルステッチャ６０６へ送るときは、一旦、パンチャ６１１側へ送り込んだ後、スイッチバックさせて送り込むことにより、フェイスの向きを合わせる。なお、インサータ６３１によるシートのインサート処理の実行可否も、印刷ジョブに対してオペレータが設定したシート処理設定に基づいて決定される。
【００３６】
サドルステッチャ６０６は、シートの中央部分を二ヶ所バインドした後、シートの中央部分をローラに噛ませてシートを半折りし、ブックレット（小冊子）を作成する処理（製本処理）を行う。サドルステッチャ６０６で製本されたシートは、ブックレットトレイ６０４に排出される。サドルステッチャ６０６による製本処理など、シート処理の実行可否も、印刷ジョブに対してオペレータが設定したシート処理設定に基づいて決定される。
【００３７】
トリマ（裁断機）６４０は、サドルステッチャ６０６にて形成されたブックレットをローラで予め決められた長さ分だけ送り、該ブックレットの端部をカッタ部６１０にて裁断する。この裁断によりブックレットの端部が切り揃えられ、ブックレットがブックレットホールド部６４１に格納される。なお、トリマ６４０による裁断処理の実行可否も、上述したように、印刷ジョブに対してオペレータが設定したシート処理設定に基づいて決定される。
【００３８】
次に、後処理装置における製本処理について説明する。
【００３９】
画像形成装置から搬送されてきた画像形成済のシートは、切換フラッパ６０１へと到達する。そして、切換フラッパ６０１により、サンプルトレイ６０２への搬送路、スタックトレイ６０３への搬送路、またはブックレットトレイ６０４への搬送路に切り替わる。サンプルトレイ６０２へ排出される場合は、特に後処理装置として処理できるものはないため、そのままシートが排出される。スタックトレイ６０３へは処理トレイ６２１を経由して排出される。この処理トレイ６２１へ排出される場合、設定に応じてステイプラ６０５がステイプル処理を行ったり、機器の奥／手前にシフト動作したりする。
【００４０】
サドルステッチャ６０６は、１セット分のシート束の中央部分（後に二つ折りされる折り位置）に中綴じを行う。サドル折りの場合には、この中綴じが省略され、シート束がストッパ６０７へと搬送される。ストッパ６０７に積載されたシート束は、束搬送ローラ対６０８により搬送され、中折りされた状態となり、ブックレットトレイ６０４へと排出される。
【００４１】
サドルステッチャ６０６により中折りされた３枚のシートの状態を符号６５０に示す。シート束の中央部がステイプルされるために、束搬送ローラ対６０８に搬送される場合でも安定してシート束が１つになって搬送され、カッタ部６１０にて断裁処理される。一方、中綴じを実行していない場合には、３枚のシートがまとまっていないので、中綴じする場合に比べて、枚数やシートの坪量が増大するごとに断裁時の精度を維持することが難しくなる。
【００４２】
図４は、画像形成装置における本体制御部（コントロールユニット）のハードウェア構成例を示すブロック図である。
【００４３】
図４において、コントロールユニット２００は、画像入力デバイスであるスキャナ部２０１や画像出力デバイスであるプリンタエンジン部２０２との間で、画像データの読み取りやプリント出力のための制御を行う。また、コントロールユニット２００は、ネットワーク７４や公衆回線２０４との間で、画像情報やデバイス情報の入出力の制御を行う。
【００４４】
ＣＰＵ２０５は、画像形成装置全体を制御するための中央処理装置である。ＲＡＭ２０６は、ＣＰＵ２０５が動作するためのシステムワークメモリであり、入力された画像データを一時記憶するための画像メモリでもある。ＲＯＭ２０７はブートＲＯＭであり、システムのブートプログラムが格納されている。ＨＤＤ２０８はハードディスクドライブであり、各種処理を実行するためのシステムソフトウェアや入力された画像データ等を格納する。
【００４５】
操作部Ｉ／Ｆ２０９は、画像データ等を表示可能な表示画面を有する操作部２１０に接続し、操作部２１０に対して操作画面データを出力する。また、操作部Ｉ／Ｆ２０９は、操作部２１０から操作者が入力した情報をＣＰＵ２０５に伝える役割をする。
【００４６】
ネットワークＩ／Ｆ２１１は、例えばＮＩＣ（不図示）を介してネットワーク７４に接続し、プリントサーバ７１やホストコンピュータ７２等の外部装置との間で情報の入出力を行う。本実施形態では、１つのネットワークＩ／Ｆを介して１つのネットワークに接続する形態について説明をするが、複数のネットワークＩ／Ｆを使用して複数のネットワークに接続する形態も本実施形態に含まれる。モデム２１２は、公衆回線２０４に接続し、外部装置との間で情報の入出力を行う。
【００４７】
以上のユニットがシステムバス２１３上に配置されている。
【００４８】
イメージバスＩ／Ｆ２１４は、システムバス２１３と画像データを高速で転送する画像バス２１５とを接続するためのインタフェースであり、データ構造を変換するバスブリッジである。画像バス２１５には、ラスタイメージプロセッサ（ＲＩＰ）２１６、デバイスＩ／Ｆ２１７、スキャナ画像処理部２１８、プリンタ画像処理部２１９、画像編集用画像処理部２２０、及びカラーマネージメントモジュール（ＣＭＭ）２３０が接続される。
【００４９】
ＲＩＰ２１６は、ページ記述言語（ＰＤＬ）コードや後述するベクトルデータをイメージに展開する。デバイスＩ／Ｆ２１７は、スキャナ部２０１やプリンタエンジン部２０２に接続し、画像データの同期系／非同期系の変換を行う。
【００５０】
スキャナ画像処理部２１８は、スキャナ部２０１から入力した画像データに対して、補正、加工、編集等の各種処理を行う。プリンタ画像処理部２１９は、プリント出力する画像データに対して、プリンタエンジン部２０２の能力に応じた補正、解像度変換等の処理を行う。画像編集用画像処理部２２０は、画像データの回転や圧縮伸長処理等の各種画像処理を行う。
【００５１】
ＣＭＭ２３０は、画像データに対して、プロファイルやキャリブレーションデータに基づく色変換処理（「色空間変換処理」ともいう）を施す専用ハードウェアモジュールである。プロファイルとは、機器に依存した色空間で表現したカラー画像データを機器に依存しない色空間（例えばＬａｂなど）に変換するための関数のような情報である。キャリブレーションデータとは、スキャナ部２０１やプリンタエンジン部２０２の色再現特性を修正するためのデータである。
【００５２】
図５は、図４のコントロールユニット２００における機能構成の一例を示すブロック図である。
【００５３】
プロトコル制御部３０１は、ネットワークプロトコルを解析・送信することによって外部との通信を行う。なお、プロトコル制御部３０１は、複数のネットワークＩ／Ｆに合わせて複数あってもよいし、複数のネットワークＩ／Ｆからの入力を処理する構成であってもよい。
【００５４】
データ入力識別部３０２は、ネットワークＩ／Ｆ２１１を介して入力された印刷ジョブを識別する。ジョブ管理部３０３は、入力された印刷ジョブを管理し、印刷ジョブの分割処理や印刷ジョブに付加されている印刷設定に従ってデバイス制御に関する情報を処理する。
【００５５】
ＰＤＬ解析部３０４は、ＰＤＬデータを解析し、より処理しやすい形式の中間コード（ＤｉｓｐｌａｙＬｉｓｔ：ＤＬ）に変換する。ＰＤＬ解析部３０４により変換されたＤＬは、データ描画部３０５に渡される。
【００５６】
データ描画部３０５は、ＤＬをビットマップデータに展開する。展開されたビットマップデータは、ページメモリ３０６に逐次描画される。ページメモリ３０６は、展開されたビットマップデータを一時的に保持する揮発性のメモリである。パネル入出力制御部３２０は、操作部２１０からの入出力を制御する。
【００５７】
データ記憶部３３０は、入力された印刷ジョブやスキャナ部２０１から入力されたスキャンジョブなど、画像形成装置に入力される様々なデータファイルをＨＤＤ２０８等に記憶する制御を行う。
【００５８】
スキャン制御部３５０は、スキャナ部２０１から入力した画像データに対して、補正、加工、編集などの各種処理を行う。印刷制御部３６０は、ページメモリ３０６の内容をビデオ信号に変換処理し、プリンタエンジン部２０２へ画像転送を行なう。プリンタエンジン部２０２は、受け取ったビデオ信号を記録紙に可視画像形成するための印刷機構部である。
【００５９】
図６は、画像形成装置における出力ジョブ管理部の構成例を示すブロック図である。
【００６０】
出力ジョブ管理部１８１（ジョブ管理部３０３）は、ネットワークＩ／Ｆ２１１を介して入力された印刷ジョブを管理し、メモリ１９５（ページメモリ３０６）に対する印刷ジョブの読み書きと、その処理順序を制御する。
【００６１】
出力ジョブ制御部１８２は、ジョブ解析部１８３、バインダ解析部１８４、ドキュメント解析部１８５、およびページ解析部１８６から構成され、印刷ジョブの設定情報（ジョブチケット）と画像情報を作成する。
【００６２】
ジョブ解析部１８３は、印刷する文書名や印刷部数、出力先である排紙トレイの指定、複数バインダで構成される印刷ジョブのバインダ順など、印刷ジョブ全体に関わる設定情報の詳細を解析し、印刷ジョブ設定情報を作成する。バインダ解析部１８４は、製本方式の設定やステイプルの位置、複数ドキュメントで構成されるバインダのドキュメント順など、バインダ全体に関わる設定情報の詳細を解析し、バインダ情報を作成する。
【００６３】
ドキュメント解析部１８５は、複数頁で構成されるドキュメントの頁順、両面印刷の指定、表紙や台紙の付加など、ドキュメント全体に関わる設定情報の詳細を解析し、ドキュメント設定情報を作成する。ページ解析部１８６は、画像の解像度、画像の向き（ランドスケープ／ポートレイト）など、ページ全体に関する設定情報の詳細を解析し、ページ設定情報を作成する。
【００６４】
用紙情報管理部１９１は、出力ジョブ制御部１８２で解析された印刷処理に関するシート種類に関する情報を管理する。用紙情報制御部１９２は、印刷処理に関するシート種類に関する属性情報を示した用紙情報管理テーブルを作成する。また、用紙情報制御部１９２は、オペレータが選択、入力したエイリアス情報を用紙情報管理テーブルに記載する。
【００６５】
なお、本実施形態では、上述した出力ジョブ管理部１８１及び用紙情報管理部１９１による処理は、印刷システム７５上で実行されるものとするが、ホストコンピュータ上で実行される構成でもよい。また、上記処理がプリントサーバ上で実行される構成であってもよい。
【００６６】
画像情報の作成にあたり、スキャン画像の場合はスキャン画像用の画像処理を施し、ＰＤＬデータの場合は画像処理／ＲＩＰ部１９３を呼び出してレンダリングし、ページ画像情報１９４を作成する。ページ画像情報１９４は、圧縮伸長部１８７によりデータ圧縮された後、シナリオおよび設定情報と関連付けられ、メモリ１９５に格納される。
【００６７】
デバイス管理部１８８は、デバイス割当部１８９とデバイス制御部１９０から構成される。メモリ１９５から関連付けられたシナリオおよび設定情報と一緒に読み出されるページ画像情報１９４は圧縮伸長部１８７によって伸長される。シナリオ、設定情報およびページ画像情報１９４は一組としてデバイス管理部１８８に入力される。
【００６８】
デバイス割当部１８９は、シナリオに基づきデバイスを割り当てる際に、複数の印刷ジョブが同時に処理を進めると発生するデバイスの衝突を調停する役割を果たす。デバイス制御部１９０は、どのデバイスをどのタイミングで利用するかをスケジュールする。
【００６９】
図７は、画像形成装置における描画処理部の構成例を示すブロック図である。
【００７０】
なお、レンダリング処理は、ＰＤＬで記述された文字、線画、図形などのベクトル情報、ビットマップ情報などを同時に頁として再現するために、各オブジェクト情報をメモリ上（図示せず）にラスタ画像としてラスタライズする処理である。
【００７１】
描画処理部は、インタプリタ１０１とレンダリング処理部１０８の二つの部分から構成される。インタプリタ１０１は、ＰＤＬデータを言語解析するＰＤＬ解析部１０２（ＰＤＬ解析部３０４）を備える。また、ＰＤＬデータに含まれるページ情報を解析するページ情報解析部１０３、ＰＤＬデータに含まれる描画オブジェクトを解析する描画オブジェクト解析部１０４を備える。さらに、描画オブジェクトからＤＬを作成するＤＬ生成部１０５を備える。さらに、描画オブジェクトやフォントをキャッシュして再利用可能な場合、データ記憶部１０７（データ記憶部３３０）にＤＬデータを記憶したり、読み出しすることができるＤＬ管理部１０６を備える。
【００７２】
ＰＤＬ解析部１０２は、入力される様々な種類のＰＤＬデータが解析可能である。その他、ＰＰＭＬやＰＤＦ／ＶＴなどのＶＤＰ向けフォーマットも処理可能である。更に、ＪＰＥＧ（Ｊｏｉｎｔ  Ｐｈｏｔｏｇｒａｐｈｉｃ  Ｅｘｐｅｒｔｓ  Ｇｒｏｕｐ）やＴＩＦＦ（Ｔａｇｇｅｄ  Ｉｍａｇｅ  Ｆｉｌｅ  Ｆｏｒｍａｔ）などの画像圧縮フォーマットも処理可能である。
【００７３】
レンダリング処理部１０８は、ＤＬに対してカラーマッチングを行うＣＭＭ（不図示）、ＤＬをビットマップデータ（ラスタ画像）にレンダリングするＤＬレンダリング部（不図示）から構成される。
【００７４】
プリンタエンジン部１０９（プリンタエンジン部２０２）は、レンダリング処理部１０８で生成されたビットマップデータを読み出し、印刷処理を実施する。
【００７５】
次に、画像形成装置における操作部２１０の外観構成について図８（ａ）、図８（ｂ）を用いて説明する。
【００７６】
図８（ａ）は、画像形成装置における操作部２１０の外観構成の一例を示す図、図８（ｂ）は、図８（ａ）に示すキー入力部８０２の外観構成の一例を示す図である。
【００７７】
図８（ａ）において、操作部２１０は、ハードキーによるオペレータ操作を受け付けることが可能なキー入力部８０２と、ソフトキー（表示キー）によるオペレータ操作を受け付けることが可能な表示ユニットとしてのタッチパネル部８０１とを有する。
【００７８】
図８（ｂ）において、キー入力部８０２には、電源スイッチ９０１が配置されている。電源スイッチ９０１への操作に対して、ＣＰＵ２０５は、スタンバイモードとスリープモードを選択的に切り換える。スタンバイモードは通常動作状態であり、スリープモードはネットワーク印刷やファクシミリなどに備えて割り込み待ち状態でプログラムを停止して、消費電力を抑えている状態である。
【００７９】
ＣＰＵ２０５は、システム全体の電源供給を行う主電源スイッチ（不図示）がＯＮ状態のときに、電源スイッチ９０１へのオペレータ操作を受付可能に制御する。
【００８０】
スタートキー９０３は、処理対象となるジョブのコピー動作や送信動作等、オペレータにより指示された種類のジョブ処理を印刷装置に開始させる指示をオペレータから受付可能にするためのキーである。ストップキー９０２は、受け付けたジョブの処理を印刷装置に中断させる指示をオペレータから受付可能にするためのキーである。テンキー９０６は、各種設定の置数の設定をオペレータにより実行可能にするためのキーである。クリアキー９０７は、テンキー９０６を介してオペレータにより設定された置数等の各種パラメータを解除するためのキーである。リセットキー９０４は、オペレータにより処理対象のジョブに対して設定された各種設定をすべて無効にし、また、設定値をデフォルト状態に戻す指示をオペレータから受け付けるためのキーである。オペレータモードキー９０５は、オペレータごとのシステム設定画面に移行するためのキーである。
【００８１】
次に、中綴じせずに２つ折り処理のみを実施した冊子に対して断裁処理を実施した場合の印刷物について図９（ａ）及び図９（ｂ）を参照して説明する。
【００８２】
図９（ａ）は、分割製本かつ断裁処理実施時の成果物の一例を示す図、図９（ｂ）分冊製本かつ断裁処理実施時の印刷物の一例を示す図である。
【００８３】
図９（ａ）において、１００１，１００３は、はめ込み処理を行うことで冊子を完成させる場合の印刷物を示す。
【００８４】
１００１は、入力されたジョブに対して後処理装置が処理可能な上限枚数もしくはオペレータ指定枚数に従って分割処理方法が決定され、面付け処理と印刷処理が実施された後、複数枚のシートを束にまとめて２つ折りされたものである。なお、本実施形態では、分冊処理するシート枚数を３枚としている。
【００８５】
図９（ｂ）において、１１０１，１１０３は、出力された冊子をまとめることで冊子を完成させる分冊製本処理指定時の印刷物を示す。
【００８６】
１１０１は、入力されたジョブに対する分冊処理指定に従って面付け処理と印刷処理が実施された後、複数枚のシートを束にまとめて２つ折りされたものである。なお、本実施形態では、分冊処理するシート枚数を３枚としている。
【００８７】
さらに、断裁処理が指定されていた場合、指定された断裁量（図示例では１１０２に断裁位置を示す）に従って断裁処理が行われたた後、排紙される。オペレータは排紙された束をまとめることで冊子が完成する。完成した冊子の一例を１１０３に示すが、出力されたシート束をまとめて完成する分冊指定時は各束を同じ位置で断裁処理するため断裁面は一律となる。
【００８８】
次に、製本印刷指定時に中綴じ処理せずに断裁処理を実施する場合の印刷ジョブに対する印刷及び製本処理について説明する。
【００８９】
図１０は、印刷システム７５にて実行される印刷及び製本処理の基本的な流れを示すフローチャートである。
【００９０】
印刷システム７５は、ネットワークＩ／Ｆ２１１を介してホストコンピュータ７２等からジョブを受信する（ステップＳ１２０１）。
【００９１】
まず、ＰＤＬ解析部３０４は、処理開始にあたりジョブの処理状況を管理するためのページ情報Ｎを初期化する（ステップＳ１２０２）。次に、ＰＤＬ解析部３０４は、ページ単位で処理を行うため、ページ情報Ｎに１ページずつ加算する（ステップＳ１２０３）。
【００９２】
次に、ＰＤＬ解析部３０４がジョブに含まれるＰＤＬデータを解析し、データ描画部３０５がビットマップデータに展開する（ステップＳ１２０４）。そして、展開されたビットマップデータは、ページメモリ３０６に保存される（ステップＳ１２０５）。
【００９３】
次に、ＰＤＬ解析部３０４は、処理が完了したページがジョブ中の最終ページか否か判定し（ステップＳ１２０６）、最終ページであると判定した場合は、ステップＳ１２０７に移行する。一方、最終ページではないと判定した場合は、ジョブ中の全ページの処理が完了するまでステップＳ１２０３〜ステップＳ１２０６の処理を繰り返す。
【００９４】
ステップＳ１２０７では、画像レイアウト処理が実行される。具体的には、ユーザが図１７（ａ）〜図１７（ｆ）や図１９（ａ）〜図１９（ｃ）に示す操作画面上で指定した印刷設定等に従って、ページの並び順変更、ページの合成処理、印刷位置の微調整などが実施される。画像レイアウト処理の詳細については後述する。
【００９５】
図１７（ａ）〜図１７（ｆ）に示す２００１，２００２，２００３，２００４，２００５，２００６は、本実施形態における印刷システムの制御プログラムで表示される操作画面の一例である。
【００９６】
図１９（ａ）〜図１９（ｃ）に示す２２０１，２２０２，２２０３は、ジョブを作成するホストコンピュータ７２，７３上で動作し、プリントジョブを作成するための操作画面の一例である。
【００９７】
図１０に戻り、ステップＳ１２０７の画像レイアウト処理が完了した後、処理がなされた画像がページメモリ３０６に展開処理される（ステップＳ１２０８）。そして、ステップＳ１２０８で展開処理された画像がプリンタエンジン部２０２に送出され、印刷処理が実行される（ステップＳ１２０９）。印刷処理が完了した後、ステップＳ１２１０に移行する。
【００９８】
ステップＳ１２１０では、フィニッシング処理が実行される。具体的には、ステップＳ１２０９で印刷されたシートに対して、ユーザが図１７（ａ）〜図１７（ｆ）や図１９（ａ）〜図１９（ｃ）に示す操作画面上で指定した製本設定等に従って、折りまげ処理や断裁処理などの後処理が実施される。フィニッシング処理の詳細については後述する。
【００９９】
次に、ステップＳ１２１１では、ステップＳ１２１０で後処理が施されたシート束が排紙される。つづいて、ステップＳ１２１２では、印刷制御部３６０は、シート束数ｎを減算して、処理が必要な残りのシート束数を算出する。すべてのシート束の処理が完了したか判定し（ステップＳ１２１３）、すべてのシート束の処理が完了したと判定した場合には本処理を終了する。一方、すべてのシート束の処理が完了していないと判定した場合には、処理が完了するまでステップＳ１２０８〜ステップＳ１２１３の処理を繰り返す。
【０１００】
図１１は、図１０のステップＳ１２０７における画像レイアウト処理の詳細を示すフローチャートである。
【０１０１】
印刷制御部３６０は、製本指定の有無を判定する（ステップＳ１３０１）。製本指定がされていないと判定した場合、印刷制御部３６０は、シート束数ｎを１とする（ステップＳ１３１２）。つづいて、印刷制御部３６０は、ページメモリ３０６からビットマップデータをジョブに含まれるページ順に読み出して（ステップＳ１３１３）、リターンする。
【０１０２】
一方、ステップＳ１３０１で製本指定がされていると判定した場合、印刷制御部３６０は、綴じ指定の有無を判定する（ステップＳ１３０２）。綴じ指定がされていると判定した場合、印刷制御部３６０は、オペレータによる折り枚数の指定の有無と、折り枚数が指定されていたときの折り指定枚数を確認して（ステップＳ１３０３）、ステップＳ１３０５へ進む。
【０１０３】
一方、ステップＳ１３０２で綴じ指定がされていないと判定した場合には中折り指定と判断して、ステップＳ１３０４へ進む。
【０１０４】
ステップＳ１３０４では、印刷制御部３６０は、後処理装置の折り枚数の上限値とオペレータにより指定された折り指定枚数を確認して、ステップＳ１３０５へ進む。
【０１０５】
ステップＳ１３０５では、印刷制御部３６０は、ジョブに含まれるページ数と製本に関する指定から、ジョブを印刷処理する際に必要とされる印刷枚数Ｍを算出する。そして、この印刷枚数Ｍと、ステップＳ１３０３又はステップＳ１３０４にて確認した折り指定枚数とを比較する。
【０１０６】
印刷枚数Ｍを求める演算式の一例を示す。
【０１０７】
Ｍ＝ｃｅｉｌ（Ｎ／（２×片両指定））
Ｎ：ジョブに含まれるページ数
片面指定の場合：片両指定＝２
両面指定の場合：片両指定＝４
ｃｅｉｌ関数：小数点を切り上げ、整数にする関数
ステップＳ１３０５の判定の結果、印刷枚数Ｍが折り指定枚数以下の場合、ステップＳ１３０７へ進み、印刷制御部３６０は、ジョブのシート束数ｎを１とする。
【０１０８】
一方、ステップＳ１３０５で印刷枚数Ｍが折り指定枚数より多いと判定した場合、ステップＳ１３０６へ進み、印刷制御部３６０は、ジョブのシート束数ｎを算出する。具体的には、ジョブに含まれるページ数Ｎと片面／両面印刷指定の有無、ステップＳ１３０３又はステップＳ１３０４にて確認した折り指定枚数からシート束数ｎを算出する。ステップＳ１３０６は、シート束数算出手段の一例である。
【０１０９】
ジョブ処理が完了するまでに作成されるシート束数ｎを求める演算式の一例を示す。
【０１１０】
ｎ＝ｃｅｉｌ（Ｍ／折り指定枚数）
次に、ステップＳ１３０８では、印刷制御部３６０は分冊方法の指定を確認する。
【０１１１】
ステップＳ１３０９では、印刷制御部３６０は、ステップＳ１３０８の確認結果から、ジョブに含まれるページ数とジョブを分割するシート束数ｎ、設定された分冊方法に基づいて、ページレイアウトを決定する。ステップＳ１３０９は、ページレイアウト決定手段の一例である。
【０１１２】
次に、印刷制御部３６０は、ステップＳ１３０９で決定したレイアウトに基づいて、ページメモリ３０６からビットマップデータ（展開済み画像）を順に読み出す（ステップＳ１３１０）。つづいて、印刷制御部３６０は、クリープ補正指定がある場合は当該クリープ補正指定に従ってビットマップデータの画像シフト量を決定し（ステップＳ１３１１）、リターンする。このクリープ補正指定については、クリープ補正機能を含めた形で後述する。
【０１１３】
図１２は、図１０のステップＳ１２１０におけるフィニッシング処理の詳細を示すフローチャートである。
【０１１４】
印刷制御部３６０は、綴じ指定の有無を判定する（ステップＳ１４０１）。綴じ指定がされていると判定した場合、印刷制御部３６０は、シート束の中央をステイプル処理する中綴じ処理（ステップＳ１４０２）と折り処理（ステップＳ１４０３）を実施する。一方、綴じ指定がされていない場合には、ステップＳ１４０５へ進む。
【０１１５】
ステップＳ１４０４では、印刷制御部３６０は、断裁処理が指定されているか判定し、断裁処理が指定されていた場合は、ステップＳ１４０９へ進む。そうでない場合は、リターンする。ステップＳ１４０１やステップＳ１４０４，Ｓ１４０６，Ｓ１４０７は、製本指定判定手段の一例である。
【０１１６】
ステップＳ１４０９では、図１７（ｆ）に示す操作画面２００６や図１９（ａ）に示す操作画面２２０１、図１９（ｂ）に示す操作画面２２０２上でユーザにより指定された断裁量に従って断裁処理が実施され、リターンする。
【０１１７】
ステップＳ１４０５では、シート束に対して折り処理が実施される。次に、印刷制御部３６０は、断裁処理が指定されているか判定し（ステップＳ１４０６）、断裁処理が指定されていない場合にはリターンする。一方、断裁処理が指定されている場合は、ステップＳ１４０７へ進む。
【０１１８】
ステップＳ１４０７では、印刷制御部３６０は、分冊処理が指定されているか判定する。指定されている分冊の種類が分冊製本である場合は、ステップＳ１４０９へ進む。一方、指定されている分冊の種類が分割製本である場合は、ステップＳ１４０８へ進む。ステップＳ１４０７は、分割製本判定手段の一例である。
【０１１９】
ステップＳ１４０８では、断裁量補正処理が実行される。断裁量補正処理の詳細については後述する。ステップＳ１４０８は、断裁量調整量算出手段の一例である。断裁量補正処理が実施された後に、当該処理にて再調整された断裁量で断裁処理が実施される（ステップＳ１４０９）。
【０１２０】
図１３Ａは、図１２のステップＳ１４０８における断裁量調整処理の詳細を示すフローチャートである。
【０１２１】
まず、画像の印刷位置を補正するためのクリープ補正（画像位置補正）機能について説明する。
【０１２２】
製本印刷処理後に作成される冊子は、複数のシートをまとめて折り込まれているため、冊子の一番外側になるシートに印刷された画像の位置と、一番内側になるシートに印刷された画像の位置がずれてしまう。これは、シートの厚みや後処理装置の折り機能の精度によって誤差が生じるためである。画像形成装置では、完成した冊子の仕上がり精度を向上するため、ページをめくった際に各ページの印字位置が同じになるような調整処理が可能となっている。この機能をクリープ補正機能と呼ぶ。クリープ補正機能には、シートの一枚ごとに画像の印刷位置を微調整する機能と、製本処理後の冊子を構成する一番外側のシートと一番内側のシートに印刷する画像の印字位置の差分を指定し、画像形成装置が自動で調整する機能がある。
【０１２３】
図１３Ａにおいて、印刷制御部３６０は、クリープ補正指定の有無を判定する（ステップＳ１５０１）。クリープ補正指定がされていないと判定した場合は、図１３ＢのステップＳ１６０１へ進む。なお、図１３Ｂに示す処理については第２の実施形態にて説明する。一方、ステップＳ１５０１でクリープ補正指定がされていると判定した場合は、ステップＳ１５０２へ進む。
【０１２４】
ステップＳ１５０２では、印刷制御部３６０は、クリープ補正指定の種類を判定する。クリープ補正指定の種類は、例えば、図１７（ｄ）に示す操作画面２００４および図１７（ｅ）に示す操作画面２００５上で指定することが可能である。ステップＳ１５０２でページごとのクリープ補正量が指定されていると判定した場合、ステップＳ１５０３へ進む一方、ジョブ全体のクリープ補正量が指定されていると判定した場合は、ステップＳ１５０８へ進む。
【０１２５】
ステップＳ１５０３では、印刷制御部３６０は、シート束が１束目の処理か否かを判定する（ステップＳ１５０３）。１束目を処理すると判定した場合、印刷制御部３６０は、ジョブ全体の印刷枚数Ｍを確認する（ステップＳ１５０４）。つづいて、印刷制御部３６０は、印刷に必要なシート枚数からシートずれ補正値Ｔを計算したうえで１束目の断裁量Ｄｎを算出する（ステップＳ１５０５）。
【０１２６】
１束目の断裁量Ｄｎを求める演算式の一例を示す。
【０１２７】
Ｄｎ＝Ｍ×クリープ補正量
Ｍ：ジョブを印刷処理するのに必要なシート枚数
ステップＳ１５０３で１束目以外の処理であると判断した場合、印刷制御部３６０は、ｎ−１束目の断裁量に、ｎ束目のシート束を処理した際に計算しておいたｎ束目の断裁量調整量Ｃｎを減算し、断裁量Ｄｎを算出する（ステップＳ１５０６）。ステップＳ１５０６は、断裁量算出手段の一例である。
【０１２８】
１束目以外のｎ束目の断裁量Ｄｎを求める演算式の一例を示す。
【０１２９】
Ｄｎ＝Ｄ（ｎ＋１）−Ｃｎ
ステップＳ１５０７では、印刷制御部３６０は、次のシート束（ｎ−１束目）の断裁量調整量Ｃｎを算出する。ステップＳ１５０７は、断裁量算出手段の一例である。
【０１３０】
ｎ−１束目の断裁量調整量を求める演算式の一例を示す。
【０１３１】
Ｃ（ｎ−１）＝ｎ束目のシート束の印刷枚数×クリープ補正量Ｈ
ステップＳ１５０８では、印刷制御部３６０は、ジョブ全体の印刷処理に必要なシートの印刷枚数Ｍを確認する。次に、印刷制御部３６０は、印刷枚数Ｍと指定されたクリープ補正量から、シートごとのクリープ補正量Ｈを算出する（ステップＳ１５０９）。
【０１３２】
シートごとのクリープ補正量Ｈを求める演算式の一例を示す。
【０１３３】
Ｈ＝オペレータ指定のクリープ補正量／Ｍ
次に、印刷制御部３６０は、シート束の１束目の処理か否かを判定する（ステップＳ１５１０）。１束目を処理すると判定した場合、ステップＳ１５１１へ進む。一方、ステップＳ１５１０で１束目以外の処理であると判定した場合、ステップＳ１５１２へ進む。
【０１３４】
ステップＳ１５１１では、印刷制御部３６０は、印刷に必要な印刷枚数Ｍと指定されたクリープ補正量を元に、ステップＳ１５０９にて求めたクリープ補正量Ｈから１束目の断裁量Ｄｎを算出する。
【０１３５】
１束目の断裁量Ｄｎを求める演算式の一例を示す。
【０１３６】
Ｄｎ＝Ｍ×クリープ補正量Ｈ
Ｍ：ジョブを印刷処理するのに必要なシート枚数
ステップＳ１５１２では、印刷制御部３６０は、ｎ−１束目の断裁量に、ｎ束目のシート束を処理した際に計算しておいたｎ束目の断裁量調整量Ｃｎを減算し、断裁量Ｄｎを算出する。ステップＳ１５１２は、断裁量算出手段の一例である。
【０１３７】
１束目以外のｎ束目の断裁量Ｄｎを求める演算式の一例を示す。
【０１３８】
Ｄｎ＝Ｄ（ｎ＋１）−Ｃｎ
ステップＳ１５１３では、印刷制御部３６０は、次のシート束（ｎ−１束目）の断裁量調整量Ｃｎを算出する。ステップＳ１５１３は、断裁量算出手段の一例である。
【０１３９】
ｎ−１束目の断裁量調整量を求める演算式の一例を示す。
【０１４０】
Ｃ（ｎ−１）＝ｎ束目のシート束の印刷枚数×クリープ補正量Ｈ
以上のように断裁量の調整処理が実施された後、図１２のフィニッシング処理に戻り、ステップＳ１４０９にて断裁処理を実施することで冊子が完成する。分割製本時の成果物の一例を図１８に示す。
【０１４１】
図１８において、２１０１は、入力されたジョブに対して後処理装置が処理可能な上限枚数もしくはオペレータ指定枚数に従って分割処理方法が決定され、面付け処理と印刷処理が実施された後、複数枚のシートを束にまとめて２つ折りされたものである。
【０１４２】
さらに、断裁調整処理が実行された後の断裁量（図示例では２１０２に断裁位置を示す）に従って断裁処理が行われた後、排紙された束をオペレータがはめ込むことで冊子が完成する。完成した冊子の一例を２１０３に示す。
【０１４３】
本実施形態によれば、分冊方法とクリープ補正量を元にシート束ごとの断裁量を調整することが可能となる。これにより、オペレータは、ジョブの分割位置やページごとのレイアウト処理を意識することなく、シート束ごとの断裁値調整処理を実施することが可能となる。
【０１４４】
［第２の実施形態］
第２の実施形態では、図１３ＡのステップＳ１５０１でクリープ補正が指定されていないと判定された場合の処理について説明する。なお、上記第１の実施の形態と同様の部分については、同一の符号を用いてその説明を省略する。以下に、上記第１の実施の形態と異なる点のみを説明する。
【０１４５】
図１３Ｂは、本発明の第２の実施形態における断裁量調整処理の流れを示すフローチャートである。
【０１４６】
印刷制御部３６０は、ジョブを印刷処理する際に必要となるシートの種類を判定する（ステップＳ１６０１）。ジョブを印刷処理する際に必要となるシートがすべて同じ種類に指定されていると判断した場合、ステップＳ１６０２に進む一方、複数の種類が指定されていると判断した場合はステップＳ１６０８へ進む。ステップＳ１６０１は、シート種類判定手段の一例である。
【０１４７】
ステップＳ１６０２では、印刷制御部３６０は、印刷処理に使用されるシートの種類と坪量に基づいて、シートの種類に対応するシートずれ補正値Ｔを読み出す（ステップＳ１６０２）。シートずれ補正値Ｔは、予めＨＤＤ２０８等に保存されている。ステップＳ１６０２は、シートずれ補正値読出手段の一例である。
【０１４８】
次に、印刷制御部３６０は、シート束の１束目の処理か否かを判定する（ステップＳ１６０３）。１束目を処理すると判定した場合、印刷制御部３６０は、ジョブ全体の印刷枚数Ｍを確認する（ステップＳ１６０４）。つづいて、印刷制御部３６０は、印刷に必要なシート枚数からシートずれ補正値Ｔを計算したうえで１束目の断裁量Ｄｎを算出する（ステップＳ１６０５）。
【０１４９】
１束目の断裁量Ｄｎを求める演算式の一例を示す。
【０１５０】
Ｄｎ＝Ｍ×シート種類に応じたシートずれ補正値Ｔ
Ｍ：ジョブを印刷処理するのに必要なシート枚数
ステップＳ１６０３で１束目以外の処理であると判定した場合、印刷制御部３６０は、ｎ−１束目の断裁量に、ｎ束目のシート束を処理した際に計算しておいたｎ束目の断裁量調整量Ｃｎを減算し、断裁量Ｄｎを算出する（ステップＳ１６０５）。
【０１５１】
１束目以外のｎ束目の断裁量Ｄｎを求める演算式の一例を示す。
【０１５２】
Ｄｎ＝Ｄ（ｎ＋１）−Ｃｎ
ステップＳ１６０７では、印刷制御部３６０は、次のシート束（ｎ−１束目）の断裁量調整量Ｃｎを算出する。
【０１５３】
ｎ−１束目の断裁量調整量を求める演算式の一例を示す。
【０１５４】
Ｃ（ｎ−１）＝ｎ束目のシート束の印刷枚数×シート種類に応じたシートずれ補正値Ｔ
ステップＳ１６０８では、印刷制御部３６０は、ジョブ全体で使用されるシートの種類と印刷枚数Ｍを確認する。次に、印刷制御部３６０は、印刷処理に使用されるシート種類と坪量を元に、シートごとのシートずれ補正値Ｔａ〜Ｔｚを確認する（ステップＳ１６０９）。シートごとのシートずれ補正値Ｔａ〜Ｔｚは、予めＨＤＤ２０８等に保存されている。ステップＳ１６０９は、シートずれ補正値読出手段の一例である。
【０１５５】
次に、印刷制御部３６０は、シート束の１束目の処理か否かを判定する（ステップＳ１６１０）。１束目を処理すると判定した場合、ステップＳ１６１１へ進む。一方、ステップＳ１６１０で１束目以外の処理であると判定した場合、ステップＳ１６１２へ進む。
【０１５６】
ステップＳ１６１１では、印刷制御部３６０は、印刷処理に使用されるすべてのシートの種類と印刷枚数Ｍから１束目の断裁量Ｄｎを算出する。
【０１５７】
１束目の断裁量Ｄｎを求める演算式の一例を示す。
【０１５８】
Ｄｎ＝ジョブを構成するシートＡの枚数×シートずれ補正値Ｔａ＋ジョブを構成するシートＢの枚数×シートずれ補正値Ｔｂ＋…＋ジョブを構成するシートＺの枚数×シートずれ補正値Ｔｚ
Ｔａ，Ｔｂ，・・・，Ｔｚ：シートの種類と坪量を元に算出したシートごとのシートずれ補正値
ステップＳ１６１２では、印刷制御部３６０は、ｎ−１束目の断裁量に、ｎ束目のシート束を処理した際に計算しておいたｎ束目の断裁量調整量Ｃｎを減算し、断裁量Ｄｎを算出する。
【０１５９】
１束目以外のｎ束目の断裁量Ｄｎを求める演算式の一例を示す。
【０１６０】
Ｄｎ＝Ｄ（ｎ＋１）−Ｃｎ
ステップＳ１６１３では、印刷制御部３６０は、次のシート束（ｎ−１束目）の断裁量調整量Ｃｎを算出する。
【０１６１】
ｎ−１束目の断裁量調整量を求める演算式の一例を示す。
【０１６２】
Ｃ（ｎ−１）＝ｎ束目を構成するシートＡの枚数×シートずれ補正値Ｔａ＋束を構成するシートＢの枚数×シートずれ補正値Ｔｂ＋…＋束を構成するシートＺの枚数×シートずれ補正値Ｔｚ
以上のように断裁量の調整処理が実施された後、図１２のフィニッシング処理に戻り、ステップＳ１４０９にて断裁処理を実施することで冊子が完成する。
【０１６３】
本実施形態によれば、分冊方法と印刷に用いるシート種類とシートの坪量を元に断裁量調整量を算出し、シート束ごとの断裁量を調整することが可能となる。これにより、オペレータは、ジョブの分割位置やページごとのレイアウト処理を意識することなく、シート束ごとの断裁値調整処理を実施することが可能となる。
【０１６４】
［第３の実施形態］
第３の実施形態では、上記第１及び第２の実施形態で説明した印刷システムにおいて、後処理装置の能力を超える断裁量が指定された場合の処理について図１４を用いて説明する。さらに、断裁量が画像を印刷しない領域である余白値を超えた場合の処理について図１５を用いて説明する。なお、上記第１の実施の形態と同様の部分については、同一の符号を用いてその説明を省略する。以下に、上記第１の実施の形態と異なる点のみを説明する。
【０１６５】
図１４は、本発明の第３の実施形態における、後処理装置の能力を超える断裁量が指定された場合の処理の流れを示すフローチャートである。
【０１６６】
図１４において、ステップＳ１７０１は、図１３ＡのステップＳ１５０５，Ｓ１５１１、図１３ＢのステップＳ１６０５，Ｓ１６１１に示す１束目の断裁量Ｄｎを算出する処理である。いずれかのステップの後に以下の処理が行われる。
【０１６７】
ステップＳ１７０２では、印刷制御部３６０は、ステップＳ１７０１で算出された断裁量Ｄｎが、後処理装置（トリマ）の断裁能力の上限値より大きいか否かを判定する。ステップＳ１７０２は、断裁上限判定手段の一例である。断裁量Ｄｎが上限値を超えていないと判定した場合は、図１３ＡのステップＳ１５０７，Ｓ１５１３または図１３ＢのステップＳ１６０７，Ｓ１６１３に戻る。一方、断裁量Ｄｎが上限値を超えていると判定した場合は、タッチパネル部８０１に断裁量が上限値を超える旨のメッセージと必要な断裁量を表示する警告画面（不図示）が表示される（ステップＳ１７０３）。ステップＳ１７０３は、警告表示手段の一例である。
【０１６８】
さらに、タッチパネル部８０１には、ジョブの処理を継続するか否かを選択するように促す画面（不図示）が表示され（ステップＳ１７０４）、オペレータが選択するのを待つ（ステップＳ１７０５）。オペレータがジョブキャンセルを選択した場合、印刷制御部３６０は、印刷処理を中断してジョブキャンセル処理を実行する（ステップＳ１７０６）。一方、オペレータが警告を無視して処理の継続を選択した場合、印刷制御部３６０は、断裁処理を実施しないように断裁量Ｄｎに０をセットする（ステップＳ１７０７）。その後、元の処理すなわち図１３ＡのステップＳ１５０７，Ｓ１５１３、図１３ＢのステップＳ１６０７，Ｓ１６１３のいずれかに戻る。
【０１６９】
図１５は、本発明の第３の実施形態における、算出された断裁量が画像を印刷しない領域である余白値を超えた場合の処理の流れを示すフローチャートである。
【０１７０】
図１５において、ステップＳ１８０１は、図１３ＡのステップＳ１５０５，Ｓ１５１１、図１３ＢのステップＳ１６０５，Ｓ１６１１に示す１束目の断裁量Ｄｎを算出する処理である。いずれかのステップの後に以下の処理が行われる。
【０１７１】
ステップＳ１８０２では、印刷制御部３６０は、ステップＳ１８０１で算出された断裁量Ｄｎが、画像を印刷処理する際に算出される余白値より大きいか否かを判定する。ステップＳ１８０２は、余白判定手段の一例である。断裁量Ｄｎが上限値を超えていないと判定した場合は、図１３ＡのステップＳ１５０７，Ｓ１５１３または図１３ＢのステップＳ１６０７，Ｓ１６１３に戻る。一方、断裁量Ｄｎが余白値を超え、画像が印刷された領域を断裁してしまう可能性があると判断された場合、ステップＳ１８０３へ進む。
【０１７２】
ステップＳ１８０３では、タッチパネル部８０１に余白値以上の断裁量が指定されているため印刷指定された画像がカットされてしまう可能性がある旨のメッセージと必要な断裁量を表示する警告画面（不図示）が表示される。ステップＳ１８０３は、警告表示手段の一例である。
【０１７３】
さらに、タッチパネル部８０１には、ジョブの処理を継続するか否かを選択するように促す画面（不図示）が表示され（ステップＳ１８０４）、オペレータが選択するのを待つ（ステップＳ１８０５）。オペレータがジョブキャンセルを選択した場合、印刷制御部３６０は、印刷処理を中断してジョブキャンセル処理を実行する（ステップＳ１７０６）。
【０１７４】
一方、オペレータが警告を無視して処理の継続を選択した場合、印刷制御部３６０は、断裁処理を実施しないように断裁量Ｄｎに０をセットする（ステップＳ１８０７）。さらに一方、余白値を超えて画像領域を断裁しないように再調整する処理が選択された場合、印刷制御部３６０は、断裁量が余白値を超えないよう断裁量調整量を再調整する。その後、元の処理すなわち図１３ＡのステップＳ１５０７，Ｓ１５１３、図１３ＢのステップＳ１６１７，Ｓ１６１３のいずれかに戻る。
【０１７５】
本実施形態によれば、後処理装置の能力を超える断裁量が指定されたり、余白値を超えて断裁量が指定された場合には断裁処理を実施しないように制御することで冊子作成に関する失敗コストを低減することが可能となる。また、オペレータは断裁処理を実施せずにクリープ補正のみを実施した印刷物を得ることも可能となるため、必要に応じてより高機能な断裁処理機を用いて冊子の断裁処理のみを実施することも可能となる。
【０１７６】
［第４の実施形態］
第４の実施形態では、画像形成装置と後処理処理装置をネットワークあるいは専用線を介して接続するニアラインフィニッシャで形成された印刷システムの構成を用いた場合の処理について図１６を用いて説明する。
【０１７７】
図１６は、ニアラインフィニッシャを操作する作業指示書の作成処理を示すフローチャートである。
【０１７８】
図１０のステップＳ１２１０に示すフィニッシング処理では、ニアラインフィニッシャを操作する作業指示書の作成処理を実施することも可能である。
【０１７９】
図１６において、印刷制御部３６０は、印刷システム７５自体で作成可能な作業指示書のフォーマットの種類と、オペレータに対して作成すべき作業指示書のフォーマットの選択を促す画面をタッチパネル部８０１に表示する（ステップＳ１９０１）。
【０１８０】
次に、印刷制御部３６０は、分割製本が指定されたか、分冊製本が指定されたか判定する（ステップＳ１９０２）。分割製本が指定されていると判定した場合は、ステップＳ１９０３へ進む一方、分冊製本が指定されていると判定した場合は、バインダ番号を付与することなく、ステップＳ１９０４へ進む。
【０１８１】
ステップＳ１９０３では、印刷制御部３６０は、シート束ごとにバインダ番号を付与する。ステップＳ１９０３は、バインダ番号付与手段の一例である。
【０１８２】
ステップＳ１９０４では、印刷制御部３６０は、ステップＳ１９０１で指示書のプリントが指定されているか否かを判定する。プリント指定されていると判定した場合は、ステップＳ１９０５へ進む一方、作業指示書を電子ファイルとして作成することが選択された場合は、ステップＳ１９０７へ進む。
【０１８３】
ステップＳ１９０５では、印刷制御部３６０は、処理中のジョブのジョブ名称、ジョブＩＤ、シート束ごとの断裁量を記載した一覧を作成した後、ステップＳ１９０６へ進み、印刷処理を行う。
【０１８４】
ステップＳ１９０７では、印刷制御部３６０は、ステップＳ１９０１で選択されたフォーマット（例えば、ＪＤＦやＰｒｉｎｔＴｉｃｋｅｔなど）に従い、ジョブ名称、ジョブＩＤ、シート束ごとに、算出した断裁量をファイル化する。次に、ステップＳ１９０７で作成された作業指示書は、予め指定された送付先（例えば、ニアラインフィニッシャ本体またはニアラインフィニッシャの操作を行うことができるよう設定されたホストコンピュータなど）に送付される（ステップＳ１９０８）。
【０１８５】
本実施形態によれば、画像形成装置と直接接続されていないニアラインフィニッシャに対する指示書を作成することが可能となる。
【０１８６】
上記第１〜第４の実施形態では、制御プログラムは、画像形成装置（または後処理装置）上で動作することとしたが、プリントサーバ７１またはホストコンピュータ７２，７３上で動作するように構成することも可能である。
【０１８７】
さらに、本発明は、例えば、システム、装置、方法、プログラムもしくは記憶媒体等としての実施態様をとることが可能である。具体的には、複数の機器から構成されるシステムに適用してもよいし、また、一つの機器からなる装置に適用してもよい。
【０１８８】
また、本発明は、以下の処理を実行することによっても実現される。即ち、上述の実施形態の機能を実現するソフトウェア（プログラム）をネットワークまたは各種記憶媒体を介してシステムあるいは装置に供給し、そのシステムあるいは装置のコンピュータ（またはＣＰＵやＭＰＵ等）がプログラムを読み出して実行する処理である。
【符号の説明】
【０１８９】
７５  画像形成システム
１８１  出力ジョブ管理部
２００  コントロールユニット
２０５  ＣＰＵ
３０３  ジョブ管理部
３０４  ＰＤＬ解析部
３０５  データ描画部
３０６  ページメモリ
３６０  印刷制御部
【図１】
2014108605.tif 000003
【図２】
2014108605.tif 000004
【図３】
2014108605.tif 000005
【図４】
2014108605.tif 000006
【図５】
2014108605.tif 000007
【図６】
2014108605.tif 000008
【図７】
2014108605.tif 000009
【図８】
2014108605.tif 000010
【図９】
2014108605.tif 000011
【図１０】
2014108605.tif 000012
【図１１】
2014108605.tif 000013
【図１２】
2014108605.tif 000014
【図１３Ａ】
2014108605.tif 000015
【図１３Ｂ】
2014108605.tif 000016
【図１４】
2014108605.tif 000017
【図１５】
2014108605.tif 000018
【図１６】
2014108605.tif 000019
【図１７】
2014108605.tif 000020
【図１８】
2014108605.tif 000021
【図１９】
2014108605.tif 000022